(57)【要約】【課題】  導光体に入射された送信信号光をレンズ部に効率よく伝達する。【解決手段】  導光体２３は、光の入射側に開いた円錐柱と円柱とを接続した形状を有すると共に、その終端面全体はリモコン受光ユニット本体２２のレンズ部２４における前面に密着している。遮光層２８は、その遮光性と導電性とを兼ね備えると共に、導光体２３の周囲を覆っている。こうして、リモコン送信機からの送信信号光(赤外光)を導光体２３に多く取り込むと共に、導光体２３の終端面から放射される光を無駄なくレンズ部２４に入射させることができ、上記リモコン送信機からの送信信号光の到達可能距離を伸ばすことができる。また、搭載機器の外枠２７からレンズ部２４の前面までの領域に柱状の導電体が形成されることによって、レンズ部２４の前面を空間に開放した構造に比べて電磁ノイズに対して強くなっている。【選択図】図１
2006179767.tif 000002
【特許請求の範囲】
【請求項１】
少なくとも、光信号を電気信号に変換する光電変換手段と、この光電変換手段からの電気信号を処理する信号処理手段とが搭載されたリードフレームを、光透過性樹脂で封止してなるリモコン受光ユニット本体と、
上記リモコン受光ユニット本体に設けられて、リモコン送信機からの送信信号光を受光すると共に、この受光した上記送信信号光を上記光電変換手段に集光するレンズ部と、
上記リモコン受光ユニット本体を搭載する搭載機器に入射された上記送信信号光を、上記レンズ部に導く導光体と
を備え、
上記導光体は、上記受光した送信信号光を上記レンズ部に向って放出する終端面における少なくとも一部を上記レンズ部に密着させて配置されて、上記導光体から上記レンズ部に導かれる上記送信信号光の伝達効率を高めるようになっていることを特徴とするリモコン受光ユニット。
【請求項２】
請求項１に記載のリモコン受光ユニットにおいて、
上記導光体は上記リモコン受光ユニット本体と一体に形成されており、上記導光体における上記終端面は、その全面が上記レンズ部に密着していることを特徴とするリモコン受光ユニット。
【請求項３】
請求項１に記載のリモコン受光ユニットにおいて、
上記導光体における少なくとも上記受光した送信信号光を上記レンズ部に導く側の外周面と、上記リモコン受光ユニット本体における少なくとも上記光透過性樹脂の外周面とに密着して、一体に形成された遮光層を備えたことを特徴とするリモコン受光ユニット。
【請求項４】
請求項１に記載のリモコン受光ユニットにおいて、
上記導光体は、導電性物質が混入されていることを特徴とするリモコン受光ユニット。
【請求項５】
請求項１に記載のリモコン受光ユニットにおいて、
上記導光体における外周面に密着して形成された光反射層と、
上記導光体における少なくとも上記受光した送信信号光を上記レンズ部に導く側の外周と、上記リモコン受光ユニット本体における少なくとも上記光透過性樹脂の外周との領域に、上記光反射層の外周面に密着して一体に形成された遮光層と
を備えたことを特徴とするリモコン受光ユニット。
【請求項６】
請求項１に記載のリモコン受光ユニットにおいて、
上記導光体における少なくとも上記受光した送信信号光を上記レンズ部に導く側の外周面と、上記リモコン受光ユニット本体における少なくとも上記光透過性樹脂の外周面とに密着して一体に形成されると共に、遮光性と光反射性とを併せ持った遮光・反射層を備えたことを特徴とするリモコン受光ユニット。
【請求項７】
請求項１に記載のリモコン受光ユニットを用いたことを特徴とする電子機器。
【発明の詳細な説明】
【技術分野】
【０００１】
この発明は、家電商品や情報通信商品(パソコン等)に使用されるリモコン受光ユニットに関する。
【背景技術】
【０００２】
リモコン送信機等と呼ばれる遠隔制御用装置から送信された赤外光信号を受信する遠隔制御用受信装置(以下、リモコン受光ユニットと言う)においては、受光素子(ホトダイオードチップ(以下、ＰＤチップと言う))によって、上記リモコン送信機から送信された赤外光信号を受信する。そして、受信した赤外光信号に対して信号制御処理用素子(以下、ＩＣチップと言う)によって増幅および波形整形等の各種の信号処理を行い、この受信信号に応答してＴＶやＶＴＲ等の各種のオーディオヴィジュアル機器あるいはパーソナルコンピューター等のオフィスオートメーション機器の遠隔制御が行なわれるのである。
【０００３】
上記リモコン送信機から送信される赤外光信号はデジタル信号であり、このデジタル信号は上記ＰＤチップの受光面で受光され、受光された光信号は微弱な電気信号に変換される。そして、この微弱な電気信号は上記ＩＣチップ内の増幅回路によって数万倍に増幅され、この増幅された電気信号は必要な周波数帯域の信号のみを抽出するフィルタ回路(バンドパスフィルタ(ＢＰＦ))で必要な信号の周波数のみが抽出される。その後、検波回路によって上記赤外光信号と同様のデジタル波形情報として出力される。
【０００４】
この様なリモコン受光ユニットは、上記のＰＤチップとＩＣチップとをリードフレーム上に搭載固着した後、モールド樹脂によって封止することによって形成される。ここで、リモコン受光ユニットとしては、上記モールド樹脂を外側から金属製ケースによって覆った複数チップ型受光部品と、上記モールド樹脂の内側をリードフレームで覆った複数チップ型受光部品等とがある。一般的に、リモコン受光ユニットの必要機能として１０ｍ以上の遠隔制御距離が必要であり、上記何れの複数チップ型受光部品においても微弱な電気信号を増幅するために数万倍の信号増幅処理を行なっている。したがって、電磁ノイズ等の信号以外のノイズ成分も上記増幅回路によって増幅されてしまい、信号とノイズとの強弱の比(ＳＮ比)が確保できなくなり、結果的に必要な信号のみを抽出することができなくなってしまう。そこで、この様な現象を防止するために、導電性樹脂や金属製シールドケース等で上記ＰＤチップおよびＩＣチップとその周辺とを覆って、電磁シールドを行うことが多用されている。
【０００５】
また、ＴＶやＤＶＤ(Digital Versatile Disk)等のリモコン受光ユニット搭載機器(以下、単に「搭載機器」と言う)におけるリモコン受光ユニットの搭載位置は、リモコン送信機から発信された赤外光信号を受信するために上記搭載機器の前面である必要がある。
【０００６】
しかしながら、上記ＴＶ等のように、奥行き方向に主基板を設置する構造の場合には、上記主基板に取り付けられたサブ基板に上記リモコン受光ユニットを配置して、リモコン受光ユニットを上記搭載機器の前面に設置しているものもあるが、通常はコストの関係から見て、上記主基板に上記リモコン受光ユニットを配置するのが一般的である(例えば、特許文献１(特開平２００１‐９４１２４号公報))。
【０００７】
この場合には、上記搭載機器の前面より奥に入った箇所にリモコン受光ユニットが設置される構造となるため、上記搭載機器の前面部分から上記リモコン受光ユニット本体のレンズ部分に、効率的に送信信号を伝達する必要性が生じる。そのため、上記搭載機器の前面から上記リモコン受光ユニットにかけて導光体(ライトガイド)を設けて、上記搭載機器の前面に入射された送信信号光を上記リモコン受光ユニットに伝達するようにしている。尚、上記導光体は、熱可塑性の透明樹脂あるいは赤外光透光性樹脂を用いた射出成型品が一般的であり、上記リモコン受光ユニットとは別構成部品となっている。
【０００８】
次に、上記リモコン受光ユニットの構造および上記導光体の構造について、図４〜図７に従って説明する。図４において、金属製リードフレーム(主に鉄製が主流であり、以下においては単にリードフレームと言う)１に、ＰＤチップ２が絶縁性接着剤３で接着される一方、ＩＣチップ４が導電性接着剤５で接着されている。ＰＤチップ２は通常ＰＮ接合構造を有しており、リモコン受光ユニットの場合には逆電圧を掛けるためにＰＤチップ裏面側のＮ電極部分に電位が生ずる。したがって、上記リードフレーム１の構造上ＧＮＤ電位となるＰＤチップ搭載部分とＰＤチップ２との間は絶縁状態に保っておく必要があり、リードフレーム１とＰＤチップ２との接着には絶縁性フィラーを含んだエポキシ樹脂を用いる。
【０００９】
これに対して、上記ＩＣチップ４はその表面において信号処理するので裏面は信号処理とは関係が無く、リードフレーム１との接着は導電性接着剤５であっても絶縁性接着剤３であっても構わない。通常は、作業性に優れて接着力がある導電性接着剤(エポキシ樹脂にＡg粉を混ぜ合わせた接着剤等)５を使用する。ＰＤチップ２の電極部とＩＣチップ４の電極部６とリードフレーム１の入出力リード部７とは、直径が数十μmの金線(以下、Ａu線と言う)８で繋がれている。同様に、ＩＣチップ４と他の入出力リード部７とが金線で繋がれている。
【００１０】
上述のようにして上記リードフレーム１に搭載されたＰＤチップ２およびＩＣチップ４は、図５に示すように、赤外線を透過し且つ可視光をカットする染料を混ぜた熱硬化性樹脂(以下、モールド封止樹脂と言う)９によって、取り囲むように封止される。尚、モールド封止樹脂９から露出しているリードフレーム１に対して、樹脂バリ取りおよび桟レジンカットが施される。
【００１１】
図６は、上記モールド封止樹脂９によって封止されたモールド樹脂品が射出成型された状態を示す４面図である。図６において、導電性の熱可塑性樹脂１１によって、上記モールド樹脂品のモールド封止樹脂９の部分を覆うように射出成型(以下、２次モールドと言う)される。そして、モールド封止樹脂９から露出しているリードフレーム１は、タイバーカット、半田付け処理が施される。こうして、リードフレーム１の入出力リード部７が互いに分離されて、個々の入出力用リード１２となる。その後、単品カット工程を経て単品状態となる。
【００１２】
以下、上述のようにして形成されたリモコン受光ユニットのＴＶ等の搭載機器への搭載方法と入射光の伝達方法について説明する。
【００１３】
図７は、上記リモコン受光ユニットが搭載された上記搭載機器の正面図(図７(a))と図７(a)におけるＡ‐Ａ'矢視断面図を示す。図７において、上記搭載機器の奥行き方向には主基板１５が配設されており、この主基板１５に、図６に示すように単品状態となったリモコン受光ユニット１６の入出力用リードが立設される。一方、上記搭載機器の前面における送信信号光の受光窓１７は、搭載機器の外枠(主にプラスチック成型品が多い)１８に設けられている。そして、この受光窓１７からリモコン受光ユニット１６迄の空間を導光体(ライトガイド)１９で補って、上記送信信号光を受光窓１７からリモコン受光ユニット１６のレンズ迄伝達させるようにしている。
【００１４】
しかしながら、上記従来のリモコン受光ユニットには、以下のような問題がある。すなわち、リモコン受光ユニット１６は電気部品であるため、パターン配線基板上に搭載する必要がある。一方、リモコン受光ユニット１６は受光部品でもあるため、上記搭載機器の前面に位置させる必要がある。そして、この両者の条件を満足させるために、上記特許文献１では、導光体１９を設けている。ところが、導光体１９は搭載機器の外枠１８に取り付けられる一方、リモコン受光ユニット１６は主基板１５に取り付けられており、夫々の取り付け媒体が異なる。そのために、導光体１９とリモコン受光ユニット１６との位置精度が悪いという問題がある。
【００１５】
このように、上記導光体１９とリモコン受光ユニット１６との位置ずれが大きい場合には、導光体１９から放射された送信信号光がリモコン受光ユニット１６のレンズ部分に効率的に伝わらないため、上記リモコン送信機からの送信信号光の到達可能距離が短くなってしまう。さらに、導光体１９の終端とリモコン受光ユニット１６のレンズ部分に隙間がある場合には、導光体１９に入射される送信信号光の角度によっては、導光体１９から放射される光の角度が偏ったり分散したりして、リモコン受光ユニット１６のレンズ部分に向かって効率的に放射されず、上記リモコン送信機からの送信信号光の到達可能距離が短くなってしまう。
【特許文献１】特開平２００１‐９４１２４号公報
【発明の開示】
【発明が解決しようとする課題】
【００１６】
そこで、この発明の課題は、導光体に入射されたリモコン送信機からの送信信号光をレンズ部分に効率よく伝達できるリモコン受光ユニットを提供することにある。
【課題を解決するための手段】
【００１７】
上記課題を解決するため、この発明のリモコン受光ユニットは、
少なくとも、光信号を電気信号に変換する光電変換手段と、この光電変換手段からの電気信号を処理する信号処理手段とが搭載されたリードフレームを、光透過性樹脂で封止してなるリモコン受光ユニット本体と、
上記リモコン受光ユニット本体に設けられて、リモコン送信機からの送信信号光を受光すると共に、この受光した上記送信信号光を上記光電変換手段に集光するレンズ部と、
上記リモコン受光ユニット本体を搭載する搭載機器に入射された上記送信信号光を、上記レンズ部に導く導光体と
を備え、
上記導光体は、上記受光した送信信号光を上記レンズ部に向って放出する終端面における少なくとも一部を上記レンズ部に密着させて配置されて、上記導光体から上記レンズ部に導かれる上記送信信号光の伝達効率を高めるようになっていることを特徴としている。
【００１８】
上記構成によれば、入射された送信信号光をレンズ部に導く導光体の終端面における少なくとも一部を、上記レンズ部に密着させている。したがって、上記導光体の終端面から放射された上記送信信号光を、上記レンズ部に効率的に伝達させることができる。すなわち、この発明によれば、リモコン送信機からの送信信号光の到達可能距離の減衰を極力抑制することができるのである。
【００１９】
また、１実施の形態のリモコン受光ユニットでは、
上記導光体は上記リモコン受光ユニット本体と一体に形成されており、上記導光体における上記終端面は、その全面が上記レンズ部に密着している。
【００２０】
この実施の形態によれば、上記導光体における上記終端面の全面が上記レンズ部に密着している。したがって、上記導光体の終端面から放射された上記送信信号光を、上記レンズ部にさらに効率的に伝達させることができる。
【００２１】
また、１実施の形態のリモコン受光ユニットでは、
上記導光体における少なくとも上記受光した送信信号光を上記レンズ部に導く側の外周面と、上記リモコン受光ユニット本体における少なくとも上記光透過性樹脂の外周面とに密着して、一体に形成された遮光層を備えている。
【００２２】
この実施の形態によれば、上記導光体における少なくとも上記受光した送信信号光を上記レンズ部に導く側の外周面に密着して遮光層が形成されている。したがって、上記導光体内を伝達される上記送信信号光が上記導光体の外周面から外部に漏れるのを防止することができ、上記送信信号光の上記レンズ部への伝達をさらに効率的に行うことができるのである。
【００２３】
また、１実施の形態のリモコン受光ユニットでは、
上記導光体は、導電性物質が混入されている。
【００２４】
この実施の形態によれば、上記導光体に導電性を持たせることができ、上記搭載機器から上記レンズ部の前面までの領域に柱状の導電体を形成することができる。したがって、電磁ノイズに対する耐性を向上させることができるのである。
【００２５】
また、１実施の形態のリモコン受光ユニットでは、
上記導光体における外周面に密着して形成された光反射層と、
上記導光体における少なくとも上記受光した送信信号光を上記レンズ部に導く側の外周と、上記リモコン受光ユニット本体における少なくとも上記光透過性樹脂の外周との領域に、上記光反射層の外周面に密着して一体に形成された遮光層と
を備えている。
【００２６】
この実施の形態によれば、上記導光体における外周面には、光反射層と遮光層とを形成している。したがって、上記導光体の外周面における送信信号光の反射率を高めることができ、上記遮光層での吸収量を低減して、上記導光体内を伝達される上記送信信号光の上記レンズ部への伝達をさらに効率的に行うことができるのである。
【００２７】
また、１実施の形態のリモコン受光ユニットでは、
上記導光体における少なくとも上記受光した送信信号光を上記レンズ部に導く側の外周面と、上記リモコン受光ユニット本体における少なくとも上記光透過性樹脂の外周面とに密着して一体に形成されると共に、遮光性と光反射性とを併せ持った遮光・反射層を備えている。
【００２８】
この実施の形態によれば、遮光性を有する層と光反射性を有する層とを一層で構成することができる。したがって、製造工数を低減してコストダウンを図ることができる。
【００２９】
また、この発明の電子機器は、
この発明のリモコン受光ユニットを用いたことを特徴としている。
【００３０】
上記構成によれば、リモコン送信機からの送信信号光をレンズ部に効率的に伝達させることができるリモコン受光ユニットを用いているので、上記リモコン送信機からの送信信号光の到達可能距離の低減を抑制することができる。
【発明の効果】
【００３１】
以上より明らかなように、この発明のリモコン受光ユニットは、入射された送信信号光をリモコン受光ユニット本体のレンズ部に導く導光体を有し、この導光体の終端面における少なくとも一部を上記レンズ部に密着させているので、上記導光体の終端面から放射された上記送信信号光を、上記レンズ部に効率的に伝達させることができる。したがって、リモコン送信機からの送信信号光の到達可能距離の減衰を極力抑制することができる。
【００３２】
さらに、上記導光体を上記リモコン受光ユニット本体と一体に形成して、上記導光体における上記終端面の全面を上記レンズ部に密着させれば、上記導光体の終端面から放射された上記送信信号光を、上記レンズ部にさらに効率的に伝達させることができる。
【００３３】
さらに、上記導光体に導電性物質を混入すれば、上記導光体に導電性を持たせることができ、電磁ノイズに対する耐性を向上させることができる。
【００３４】
また、この発明の電子機器は、この発明のリモコン受光ユニットを用いているので、リモコン送信機からの送信信号光をレンズ部に効率的に伝達させることができ、上記リモコン送信機からの送信信号光の到達可能距離の低減を抑制することができる。
【発明を実施するための最良の形態】
【００３５】
以下、この発明を図示の実施の形態により詳細に説明する。
【００３６】
・第１実施の形態
図１は、本実施の形態のリモコン受光ユニットにおける縦断面を示す。このリモコン受光ユニット２１は、リモコン受光ユニット本体２２とこのリモコン受光ユニット本体２２に密着して取り付け固定されている導光体２３とから構成されている。尚、リモコン受光ユニット本体２２は、図５に示すような単品状態のリモコン受光ユニットと同じ構造を有しており、その内部構造については図示および説明を省略する。
【００３７】
上記導光体２３は、円柱と円錐柱とを接続した形状を有しており、上記円柱部における終端部２５の直径は、リモコン受光ユニット本体２２の前面におけるリモコン受光ユニットレンズ部(以下、単にレンズ部と言う)２４の根元の直径と同一あるいはレンズ部２４よりも小さくなっている。そして、導光体２３は、終端部２５がレンズ部２４の前面に密着した状態で配置されている。このように、導光体２３における終端部２５の直径をレンズ部２４における根元の直径と同一あるいはレンズ部２４よりも小さくするのは、導光体２３における終端面の全面をレンズ部２４の前面に密着させて上記終端面から放射される光を無駄なくレンズ部２４に入射させるためであり、終端部２５の直径がレンズ部２４の根元の直径よりも大きい場合にはレンズ部２４以外の領域にも導光体２３からの光が放射されてしまい、レンズ部２４で集光されない光が発生するため送信信号光の伝達に無駄が発生することになる。
【００３８】
これに対し、上記導光体２３における入口側は、リモコン送信機からの送信信号光(赤外光)を多く取り込むことが可能なように円錐状に広がっており、その入口部２６の面積を多くしている。搭載機器のデザインの関係もあり、入口部２６をやみくもに大きくはできないが、設計レイアウトが許す限り上記面積を大きくしておく方が、絶対受光量が増えるので上記リモコン送信機からの送信信号光の到達可能距離を伸ばすことができるのである。
【００３９】
上記導光体２３における入口部２６から終端部２５にかけての形状は、入口部２６の面積が広く終端部２５の面積が狭い円錐状になっているが、導光体２３の保持や他部品との共用の都合上ストレート形状や途中から分岐した形状等に形成しても一向に構わない。但し、分岐数が多くなると光の漏れ量も多くなるので、できるだけ分岐は行わない方が望ましい。
【００４０】
上記導光体２３の材質としては、赤外光を透過する熱可塑性樹脂(ポリカーボネイトやアクリル等)やエポキシ樹脂等を使用する。しかしながら、搭載機器の外枠２７に嵌め合わせ易いようにウレタン等のフレキシブル性を有する樹脂を使用しても構わない。
【００４１】
また、上記導光体２３の周囲には遮光層２８を設けている。この遮光層２８は、後の製造方法においても説明するが、導光体２３と密着した構造になっており、材質は遮光性・導電性を有する熱可塑性樹脂(ポリカーボネイト等)を使用している。尚、導光体２３の場合と同様、上記搭載機器の外枠２７に嵌め合わせ易いようにフレキシブル性を有する樹脂を使用しても構わない。以上のように、遮光性の材料を導光体２３の周囲に形成することによって、導光体２３内を伝達される送信信号光の導光体２３外への放出を防止する効果を奏することができる。さらに、遮光層２８には導電性フィラーが含まれており、電磁ノイズに対する耐量を向上させている。
【００４２】
上記遮光層２８は、上記リモコン受光ユニット本体２２におけるレンズ部２４とモールド部２９の入出力用リード３０が突出している面３１とを除く面(つまり、裏面,側面,天面およびレンズ部２４以外の前面)を覆う部分を有しており、このリモコン受光ユニット本体２２の周囲を覆う部分と導光体２３を覆う部分とを同一に成型している(一体成型)。
【００４３】
ところで、上記リモコン受光ユニット２１に対する電磁ノイズには、例えばＴＶのブラウン管やエアコンのコンプレッサー等から発生する上記搭載機器自身のノイズと、上記搭載機器以外の蛍光灯の安定器等から発生するノイズ等がある。本実施の形態においては、リモコン受光ユニット２１におけるレンズ部２４の前面に金属あるいは導電性材料で格子形状のメッシュ(図示せず)を形成して、電磁ノイズに対する耐量を更に向上させている。
【００４４】
以上のごとく、本実施の形態においては、終端面全面が上記リモコン受光ユニット本体２２のレンズ部２４における前面に密着すると共に、光の入射側に開いた円錐形を有する導光体２３を有しており、この導光体２３の周囲を遮光性と導電性とを兼ね備えた遮光層２８で覆っている。したがって、上記リモコン送信機からの送信信号光(赤外光)を導光体２３に多く取り込むと共に、導光体２３の上記終端面から放射される光を無駄なくレンズ部２４に入射させることができ、上記リモコン送信機からの送信信号光の到達可能距離を伸ばすことができる。
【００４５】
さらに、上記搭載機器の外枠２７からレンズ部２４の前面までの領域に柱状の導電体を形成しているので、レンズ部２４の前面を空間に開放した構造に比べて電磁ノイズに対して強くなっている。
【００４６】
次に、上記導光体２３と遮光層２８との製造方法について説明する。
【００４７】
図５に示すように、リードフレームに搭載されたＰＤチップおよびＩＣチップをモールド封止樹脂によって１次モールドし、桟レジンカットを施した後、上記１次モールド品を包むように導電性樹脂で射出成型を行って遮光層２８を成型する。その場合、１次モールドされたリモコン受光ユニット本体２２における面３１以外を覆い、且つ、レンズ部２４の根元に密着すると共に前方に向かってラッパ状に開いてレンズ部２４の表面を露出させる空洞を有する金型を配置し、遮光性・導電性を有する熱可塑性樹脂を注入して、レンズ部２４の根元から前方向に向かってラッパ状に開いた空洞を有する遮光層２８を成型するのである。
【００４８】
次に、上記遮光層２８におけるラッパ状に開いた空洞内に、光透過性を有する熱可塑性樹脂を注入して、レンズ部２４の前面に密着した導光体２３を成型するのである。
【００４９】
以上のごとく、本実施の形態においては、上記導光体２３を、リモコン受光ユニット本体２２におけるレンズ部２４の前面に密着してレンズ部２４と一体に形成している。したがって、導光体２３とレンズ部２４との位置がずれることがなく、導光体２３から放射された送信信号光がレンズ部２４に効率的に伝達されるのである。
【００５０】
尚、上記導光体２３と遮光層２８との射出成型の順番は上述とは逆でもよいが、導光体２３の射出成型を先に行う場合には、金型を、レンズ部２４の前面のみではなくリモコン受光ユニット本体２２の一部とも固着させておく必要がある。
【００５１】
上述した製造方法は、射出成型によって導光体２３および遮光層２８を形成する方法であるが、トランスファモールド法等のモールド方法を採用しても構わない。
【００５２】
・第２実施の形態
上記第１実施の形態においては、上記導光体２３の周囲に直接遮光層２８を形成している。本実施の形態においては、図２に示すように、導光体２３と遮光層２８との間に反射層を形成するものである。尚、図２においては、図１に示す第１実施の形態と同じ部材には同じ番号を付して、説明は省略する。
【００５３】
本実施の形態におけるリモコン受光ユニット４１では、上述したように、導光体２３と遮光層２８との間に、反射率の高い材料(例えば、銀色の赤外光カット材料)を用いて反射層４２を形成している。このように、反射層４２を形成しておくことによって、導光体２３の外周面における送信信号光の反射率を高めることができ、導光体２３内を伝達される上記送信信号光の遮光層２８での吸収を低減して、レンズ部２４への伝達効率を高めることができるのである。
【００５４】
上記第１実施の形態の場合のように、遮光性の高い黒の赤外透過型の遮光層２８あるいは赤外吸収型の遮光層２８だけの場合は、導光体２３と遮光層２８との界面での反射率が落ち(遮光膜２８に吸収される)てしまう。したがって、送信信号光の伝達効率が下がり、上記リモコン送信機からの送信信号光の到達可能距離が短くなってしまうのである。
【００５５】
尚、上述した説明においては、上記遮光層２８と反射層４２とを異なる材料で形成しているが、光沢性のある金属色(銀色等)の赤外光非透過樹脂を用いて、遮光性と反射性との両機能を合わせ持った遮光・反射層を形成することも可能である。
【００５６】
・第３実施の形態
上記第１,第２実施の形態におけるリモコン受光ユニット２１,４１は、何れもリモコン受光ユニット本体２２と導光体２３とは互いに密着して一体に形成されている。これに対して、本実施の形態におけるリモコン受光ユニットは、リモコン受光ユニット本体と導光体とが別体に構成されている。
【００５７】
図３は、本実施の形態におけるリモコン受光ユニット５１の縦断面を示す。この場合においても、図１に示す第１実施の形態と同じ部材には同じ番号を付して、その説明は省略する。
【００５８】
リモコン受光ユニット本体２２におけるレンズ部２４の頂点５２に接触した状態あるいは至近距離迄近づいた状態で、導光体５３の終端部５４が位置している。尚、本実施の形態における導光体５３も、図１に示す第１実施の形態における導光体２３と同様に、円柱と円錐柱とを接続した形状を有しており、終端部５４は上記円柱の端面である。
【００５９】
上記導光体５３における上記円柱部を包み込むように遮光体５５を配置しており、この遮光体５５も図１に示す第１実施の形態における遮光層２８と同様に、リモコン受光ユニット本体２２におけるレンズ部２４と入出力用リード２９が突出している面３０以外の面(つまり、裏面,側面,天面およびレンズ部２４以外の前面)を覆う部分と導光体２３を覆う部分で構成されており、上記両部分は一体に成型されている。また、遮光体５５は導電性フィラーを含有している。
【００６０】
尚、本実施の形態においては、上記遮光体５５を、導光体５３の円柱部のみを包み込むように円筒形を成しているが、導光体５３の円錐部をも包み込むようにラッパ状に開いた形状に構成しても一向に構わない。
【図面の簡単な説明】
【００６１】
【図１】この発明のリモコン受光ユニットにおける縦断面図である。
【図２】図１とは異なるリモコン受光ユニットの縦断面図である。
【図３】図１および図２とは異なるリモコン受光ユニットの縦断面図である。
【図４】リードフレームにＰＤチップおよびＩＣチップが搭載された状態を示す図である。
【図５】リードフレームに搭載されたＰＤチップおよびＩＣチップがモールド封止樹脂で封止された状態を示す図である。
【図６】モールド樹脂品に対する２次モールドの説明図である。
【図７】リモコン受光ユニットの搭載機器への搭載の説明図である。
【符号の説明】
【００６２】
２１,４１,５１…リモコン受光ユニット、
２２…リモコン受光ユニット本体、
２３,５３…導光体、
２４…レンズ部、
２５,５４…導光体の終端部、
２６…導光体の入口部、
２７…搭載機器の外枠、
２８…遮光層、
２９…モールド部、
３０…入出力用リード、
４２…反射層、
５２…レンズ部の頂点、
５５…遮光体。
【図１】
2006179767.tif 000003
【図２】
2006179767.tif 000004
【図３】
2006179767.tif 000005
【図４】
2006179767.tif 000006
【図５】
2006179767.tif 000007
【図６】
2006179767.tif 000008
【図７】
2006179767.tif 000009